(57)【要約】【課題】現場に持ち込むべき部材点数が少なく、簡単に作業が済み、壁開口部周辺の壁を傷付ける可能性が低く、また変更容易なドア構造を得る。【解決手段】左右１対の縦枠材およびこれら縦枠材間に挟み込む横枠材よりなる枠材を有し、双方の縦枠材に戸当たりを設け、一方の縦枠材にドア体１３をヒンジ連結し、他方の縦枠材にドアラッチ金具および戸当たりを設けるドア額縁を具え、壁開口部に取り付けるドア構造１１は、ドア額縁１２の枠材を壁開口内面にビス止めする枠本体であり、壁の一方の側面側に面する第１額縁枠材１５を一体に固定した枠本体１４と、壁の一方の側面側に面して枠本体１４に組み付ける第２額縁枠材１６とにより構成し、枠本体１４または第２額縁部材１６に、戸当り部１７を一体に設けたものものとして構成する。ドア額縁１２およびドア体１３は一体ユニットの組立体として構成すると好適である。【選択図】図２
0003119350.tif 000002
【実用新案登録請求の範囲】
【請求項１】
壁開口部に取り付けるドア構造であって、少なくとも底面を除く三方の壁開口内面に沿って固定する左右１対の縦枠材およびこれら縦枠材間に挟み込む横枠材よりなる枠材を有し、双方の縦枠材に戸当たりを設け、一方の縦枠材にドア体をヒンジ連結し、他方の縦枠材にドアラッチ金具および戸当たりを設けるドア額縁を具えた該ドア構造において、
前記ドア額縁の枠材を、
壁開口内面にビス止めする枠本体であり、壁の一方の側面側に面する第１額縁枠材を一体に固定した枠本体と、
壁の一方の側面側に面して前記枠本体に組み付ける第２額縁枠材と
により構成し、
前記枠本体または前記第２額縁部材は、戸当り部を一体に設けたものものとして構成した
ことを特徴とするドア構造。
【請求項２】
ドア額縁を、前記枠本体および前記第２額縁枠材によりユニット式組立体として予め形成した請求項１記載のドア構造。
【請求項３】
前記ユニット式組立体は、少なくとも底面を除く三方の壁開口内面に固定する縦枠材および横枠材、並びに縦枠材の枠本体にヒンジによって固定したドア体を予め組み込んだドア一体ユニットとして構成した請求項２記載のドア構造。
【請求項４】
前記ドア一体ユニットのドア体は、前記ドア体の頂部ドア枠頂面に開口して底部ドア枠底面に向かう行き止まりのスロットを有し、ドア体の少なくとも一方の側面に部分的に開口しかつ前記スロット幅よりも小さい幅を有する少なくとも１個の中間側面開口部を設け、前記スロットに鏡面パネルもしくは化粧パネルを着脱自在に装着可能にした請求項３記載のドア構造。
【考案の詳細な説明】
【技術分野】
【０００１】
本考案は、壁開口部に取り付けるドア構造であって、少なくとも底面を除く三方の壁開口内面に沿って固定する左右１対の縦枠材およびこれら縦枠材間に挟み込む横枠材よりなる枠材を有し、双方の縦枠材に戸当たりを設け、一方の縦枠材にドアをヒンジ連結し、他方の縦枠材にドアラッチ金具を設けるドア額縁を具えた該ドア構造に関する。
【背景技術】
【０００２】
従来のドア額縁の枠材は、図１に示すように、左右１対の縦枠材１および上側横枠材２を壁開口部の内面にビス止めし、戸当り部材３を縦枠材１に嵌め込み、一方の縦枠材にドア４（点線で示す）をヒンジ連結し、他方の縦枠材にドアラッチ金具（図示せず）を設けるのが一般的であった。さらに、好みに応じて、壁の両側もしくは片側で、縦枠材２の側面に縦溝を形成し、この縦溝に嵌合する突条を設けた好みの見付け幅の額縁部材（図示せず）を縦枠材２に嵌め込み、接着等により固定するのが一般的であった。
【考案の開示】
【考案が解決しようとする課題】
【０００３】
このような従来のドア構造は、それぞれ個別の縦枠材、横枠材、戸当り部材、および額縁部材を、現場で、個別に壁開口部にドア額縁を仕上げ、この後、このドア額縁にドア体を取り付ける作業を行っていた。
【０００４】
したがって、従来は、現場に持ち込むべき部材点数が多く、作業が煩雑であり、注意深く作業を行わないと、壁開口部周辺の壁等を傷付ける可能性が高かった。
【０００５】
したがって、本考案の目的は、現場に持ち込むべき部材点数が少なく、簡単に作業が済み、壁開口部周辺の壁を傷付ける可能性の低いドア構造を得るにある。さらに、本考案の目的は、取付作業が簡単かつ変更容易なドア構造を得るにある。
【課題を解決するための手段】
【０００６】
この目的を達成するため、本考案ドア構造は、ドア額縁の枠材を、壁開口内面にビス止めする枠本体であり、壁の一方の側面側に面する第１額縁枠材を一体に固定した枠本体と、壁の一方の側面側に面して前記枠本体に組み付ける第２額縁枠材とにより構成し、前記枠本体または前記第２額縁部材は、戸当り部を一体に設けたものものとして構成したことを特徴とする。
【考案の効果】
【０００７】
本考案ドア構造によれば、それぞれ個別の縦枠材、横枠材、戸当り部材、および額縁枠材を、現場で、個別に壁開口部にドア額縁を仕上げる必要がなく、単に枠本体と、第２額縁枠材との組み合わせで簡単に組み付けることができる。したがって、現場に持ち込むべき部材点数が少なく、簡単に作業が済み、壁開口部周辺の壁を傷付ける可能性の低くなるという効果が得られる。また、額縁枠材の幅、意匠は種々の種類を、枠本体およびこの枠本体に組み付ける第２額縁枠材として予め形成しておく。これにより、変更容易なドア構造が得られる。
【考案を実施するための最良の形態】
【０００８】
本考案の好適な実施例においては、ドア額縁を、前記枠本体および前記第２額縁枠材によりユニット式組立体として予め形成する。この実施例によれば、ユニット式組立体のドア額縁と、施主が希望する外観のドア体のみを現場に搬入するだけで、一層作業が簡単になり、壁開口部周辺の壁を傷付ける可能性は一層低くなる。
【０００９】
また、本考案の好適な実施例においては、ユニット式組立体は、少なくとも底面を除く三方の壁開口内面に固定する縦枠材および横枠材、並びにこの縦枠材の枠本体にヒンジによって固定した施主の希望する外観のドア体を予め組み込んだドア一体ユニットとして構成する。この構成によれば、より一層作業が簡単になり、壁開口部周辺の壁を傷付ける可能性はより一層低くなる。
【００１０】
さらにまた本考案に好適な実施例においては、ドア一体ユニットのドアは、前記ドア体の頂部ドア枠頂面に開口して底部ドア枠底面に向かう行き止まりのスロットを有し、ドア体の少なくとも一方の側面に部分的に開口しかつ前記スロット幅よりも小さい幅を有する少なくとも１個の中間側面開口部を設け、前記スロットに鏡面パネルもしくは化粧パネルを着脱自在に装着可能にする。この構成のドア構造によれば、施主の好みに応じた外観のドアを簡単に取り付けることができ、また、事後にも、外観を簡単に変更することができる。
【００１１】
次に、図面につき、本考案の好適な実施例を詳細に説明する。
【実施例１】
【００１２】
図２（ａ）は、本考案の好適な実施例によるドア構造１１の正面図を示し、ドア額縁１２と、ドア体１３とを有する。本考案によるドア構造１１のドア額縁１２は、図２（ｂ）に示すように、壁開口内面にビス止めする枠本体１４を有する。この枠本体１４は、壁の一方の側面側に面する第１額縁枠材１５を一体に固定したＬ字状体として予め形成しておく。
【００１３】
図２の実施例においては、この枠本体１４の第１額縁枠材１５とは反対側の側面側に取り付ける第２額縁枠材１６は、戸当たり部１７を一体の設けたＬ字状体として設け、またこの戸当たり部１７は、内方に突出する突起１７Ａを設け、この突起１７Ａを枠本体１４に形成した補完し合う形状の窪み１４Ａに嵌合させることにより、所定長さの縦枠材またはこれら縦枠材間に挟み込む横枠材を構成し、一体ユニットとして組み立てる。このように構成したユニットを、壁開口部に嵌め込み、枠本体１４を少なくとも底面を除く三方の壁開口内面に沿って、例えば、ビス止めにより固定する。
【００１４】
好適には、ユニット式組立体は、少なくとも底面を除く三方の壁開口内面に固定する縦枠材および横枠材、並びに縦枠材の枠本体１４にヒンジによって固定したドア体１３を予め組み込んだドア一体ユニットとして構成する。
【００１５】
さらに好適には、ドア一体ユニットのドア体１３は、図示しないが、ドア体の頂部ドア枠頂面に開口して底部ドア枠底面に向かう行き止まりのスロットを有し、ドア体の少なくとも一方の側面に部分的に開口しかつスロット幅よりも小さい幅を有する少なくとも１個の中間側面開口部を設け、スロットに鏡面パネルもしくは化粧パネルを着脱自在に装着可能にしたドア体とする。
【実施例２】
【００１６】
図３はドア額縁の第２実施例を示し、この第２実施例においては、第２額縁枠材１６に戸当たり部１７を一体に設ける第１実施例とは異なり、枠本体１４自体に戸当たり部１７を一体に設け、第２額縁部材１６に内方に突出する突起１６Ｂを設け、枠本体１４の対応側面に形成した補完し合う形状の窪み１４Ｂに嵌合させる。
【００１７】
第１および第２の額縁枠材１５，１６は、種々の幅および意匠のものを枠本体およびこの枠本体に組み付ける第２額縁枠材として予め形成しておく。また、図２（ｂ）及び図３において、参照符号１８は表面にクロスを貼った壁面ボートであり、参照符号１９は巾木であり、図２（ｂ）の実施例は量産向けに好適であり、図３の実施例はリフォーム向けに好適であるが、現場での納まり、好みによって使い分けることができる。
【産業上の利用可能性】
【００１８】
本考案は、建築業界において、新築、リフォームのドア構造に利用できる。
【図面の簡単な説明】
【００１９】
【図１】従来のドア構造のドア額縁を示す断面図である。
【図２】本考案によるドア構造の第１実施例を示し、（ａ）は正面図、（ｂ）は（ａ）のＩ‐Ｉ線上のドア額縁断面図である。
【図３】本考案によるドア構造の第２実施例のドア額縁における断面図である。
【符号の説明】
【００２０】
１  縦枠材
２  上側横枠材
３  戸当り部材
４  ドア
１１  ドア構造
１２  ドア額縁
１３  ドア体
１４  枠本体
14Ａ  窪み
14Ｂ  窪み
１５  第１額縁枠材
１６  第２額縁枠材
16Ｂ  突起
１７  戸当たり部
17Ａ  突起
１８  クロスを貼った壁面ボート
１９  巾木
【図１】
0003119350.tif 000003
【図２】
0003119350.tif 000004
【図３】
0003119350.tif 000005